【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
ジョブに基づいてシートへの印刷処理を実行するよう印刷装置を制御し、前記印刷装置により印刷処理が実行されたシートに対してシート処理を実行するよう複数のシート処理装置のうちの何れかのシート処理装置を制御する印刷システムであって、
前記複数のシート処理装置のうちの何れかのシート処理装置にてオペレータによるシートの取出作業がなされる場合に、当該オペレータによる取出対象のシートのジョブの後に受付けたジョブであり且つ当該オペレータによるシートの取出作業がなされるシート処理装置によるシート処理を要するジョブに基づいた印刷処理の実行を禁止し、当該オペレータによる取出対象のシートのジョブの後に受付けたジョブで且つ当該オペレータによるシートの取出作業がなされるシート処理装置によるシート処理は不要なジョブに基づいた印刷処理の実行を許可するよう前記印刷装置を制御する制御手段
を備えることを特徴とする印刷システム。
【請求項２】
請求項１記載の印刷システムであって、
前記制御手段は、
前記複数のシート処理装置のうちの何れかのシート処理装置にてオペレータによるシートの取出作業がなされても、当該オペレータによる取出対象のシートのジョブの後に受付けたジョブで且つ当該オペレータによるシートの取出作業がなされるシート処理装置によるシート処理が不要なジョブの印刷動作の実行は許可することを特徴とする印刷システム。
【請求項３】
請求項１又は２記載の印刷システムであって、
前記制御手段は、
前記シート処理装置によるシート処理の終了直後に該シート処理がなされたジョブのシートの取出作業を行うか否かを特定する為の指示を、ユーザインタフェース手段を介して、ユーザから受付可能にし、
前記制御手段は、
前記指示に基いて、前記オペレータによる取出対象のシートのジョブの後に受付けたジョブで且つ当該オペレータによるシートの取出作業がなされるシート処理装置によるシート処理を要するジョブの印刷動作の実行可否を決定することを特徴とする印刷システム。
【請求項４】
請求項１乃至３の何れか１項に記載の印刷システムであって、
前記制御手段は、
前記印刷装置により印刷対象となる複数のジョブのうち、シート処理装置におけるオペレータによるシートの取出作業が原因で印刷待機状態のジョブをユーザにより特定可能にする表示をユーザインタフェース手段により実行可能にすることを特徴とする印刷システム。
【請求項５】
請求項１乃至４の何れか１項に記載の印刷システムであって、
前記制御手段は、
特定のシート処理装置に積載されたジョブのシートがオペレータにより取出可能になった際に、その旨をユーザに通知可能にする表示を、ユーザインタフェース手段を介して、実行可能にする、ことを特徴とする印刷システム。
【請求項６】
請求項１乃至５の何れか１項に記載の印刷システムであって、
前記制御手段は、
前記複数のシート処理装置のうちの特定のシート処理装置によるシート処理を要するジョブのシートを、該特定のシート処理装置においてオペレータが取出可能になった際に、当該シートの取出部のドアを自動的にオープンさせることを特徴とする印刷システム。
【請求項７】
請求項１乃至６の何れか１項に記載の印刷システムであって、
前記制御手段は、
前記シート処理装置におけるオペレータによる取出対象のシートのジョブのシートの取出作業が特定の期間中に実行されない場合に、
前記シート処理装置におけるオペレータによるシートの取出作業が原因で前記印刷装置により印刷動作が禁止されたジョブの印刷動作を、前記印刷装置により開始可能にすることを特徴とする印刷システム。
【請求項８】
請求項１乃至７の何れか１項に記載の印刷システムであって、
前記制御手段は、
前記印刷装置による印刷処理がなされたうえで前記シート処理装置によるシート処理を要する第１ジョブの後に印刷実行要求がなされたジョブで且つ前記第１ジョブにて要するシート処理を実行するシート処理装置によるシート処理を要するジョブである第２ジョブの印刷動作を、前記第１ジョブのシートの前記シート処理装置におけるオペレータによる取出作業が終了するまで待機させ、
前記制御手段は、
前記第２ジョブの印刷動作を、前記第１ジョブのシートの前記シート処理装置におけるオペレータによる取出作業が終了後に開始させることを特徴とする印刷システム。
【請求項９】
請求項１乃至８の何れか１項に記載の印刷システムであって、
前記制御手段は、
前記印刷装置による印刷処理がなされたうえで前記シート処理装置によるシート処理を要する第１ジョブの後に印刷実行要求がなされたジョブで且つ前記第１ジョブにて要するシート処理を実行するシート処理装置によるシート処理を要するジョブである第２ジョブの印刷動作を、前記第１ジョブのシートの前記シート処理装置におけるオペレータによる取出作業が終了するまで待機させ、
前記制御手段は、
前記第２ジョブの印刷動作を、前記第１ジョブのシートの前記シート処理装置におけるオペレータによる取出作業が終了後に開始させ、
且つ、前記制御手段は、
前記第１ジョブ及び前記第２ジョブが共に、
前記印刷装置からのシートをオペレータによる介入作業無しに受容可能であり且つ他装置とデータ通信可能なインラインタイプのシート処理装置、
前記印刷装置からのシートをオペレータによる介入作業無しに受容不可であり且つ他装置とデータ通信可能なニアラインタイプのシート処理装置、
前記印刷装置からのシートをオペレータによる介入作業無しに受容不可であり且つ他装置とのデータ通信が不可のオフラインタイプのシート処理装置、
のうち、前記インラインタイプのシート処理装置によるシート処理を要するジョブに該当する場合に、
前記第１ジョブのシートの前記シート処理装置におけるオペレータによる取出作業が終了する前に、前記第２ジョブの印刷動作を開始させることを禁止することを特徴とする印刷システム。
【請求項１０】
請求項１乃至９の何れか１項に記載の印刷システムであって、
前記制御手段は、
前記印刷装置による印刷処理がなされたうえで前記シート処理装置によるシート処理を要する第１ジョブの後に印刷実行要求がなされたジョブで且つ前記第１ジョブにて要するシート処理を実行するシート処理装置によるシート処理を要するジョブである第２ジョブの印刷動作を、前記第１ジョブのシートの前記シート処理装置におけるオペレータによる取出作業が終了するまで待機させ、
前記制御手段は、
前記第２ジョブの印刷動作を、前記第１ジョブのシートの前記シート処理装置におけるオペレータによる取出作業が終了後に開始させ、
前記印刷システムは、
前記印刷装置から、前記印刷装置による印刷処理がなされたジョブのシートを、前記印刷装置で印刷がなされたジョブのシートに対するシート処理を実行可能な第１シート処理装置と第２シート処理装置を含む複数のシート処理装置へ、供給可能な印刷システムであり、
前記制御手段は、
前記複数のシート処理装置に関わる情報に基いて、前記第１ジョブ及び第２ジョブを含む前記印刷装置により処理対象となる複数ジョブの印刷実行のタイミングを制御することを特徴とする印刷システム。
【請求項１１】
請求項１乃至１０の何れか１項に記載の印刷システムであって、
前記制御手段は、
前記印刷システムのシステム構成が、
自装置によるシート処理がなされた印刷物を自装置のシート保持手段で保持する第１シート処理装置と第２シート処理装置のうち、前記第２シート処理装置の内部へ、前記第１シート処理装置を介して、前記印刷装置からのシートを供給可能なシステム構成である場合で、且つ、
前記オペレータによるシートの取出作業がなされるシート処理装置が前記第２シート処理装置である場合に、
前記オペレータにより取出対象となるシートのジョブの後に印刷実行要求を受付けたジョブで且つ前記第２シート処理装置によるシート処理を要するジョブの印刷動作を待機させ、
前記制御手段は、
前記オペレータにより取出対象となるシートのジョブの後に印刷実行要求を受付けたジョブで且つ前記第１シート処理装置によるシート処理を要するジョブに該当するジョブの印刷動作は待機させずに、前記印刷装置により実行可能にすることを特徴とする印刷システム。
【請求項１２】
請求項１乃至１１の何れか１項に記載の印刷システムであって、
前記制御手段は、
処理対象となるジョブの印刷実行要求及び該ジョブにて要するシート処理の実行要求を、前記印刷装置自身が具備するユーザインタフェース手段の表示部を介して、ユーザから受付可能にすることを特徴とする印刷システム。
【請求項１３】
請求項１乃至１２の何れか１項に記載の印刷システムであって、
前記制御手段は、
処理対象となるジョブの印刷実行要求及び該ジョブにて要するシート処理の実行要求を、前記印刷装置に対してデータ送信可能なコンピュータが具備するユーザインタフェース手段の表示部を介してユーザから受付可能にすることを特徴とする印刷システム。
【請求項１４】
請求項１乃至１３の何れか１項に記載の印刷システムであって、
前記制御手段は、
印刷対象となるデータが原稿読取手段を介して取得したジョブにて要する印刷処理を、該ジョブに先行して前記印刷装置にて印刷処理がなされたジョブのシート処理に並行して、前記印刷装置により実行可能にすることを特徴とする印刷システム。
【請求項１５】
請求項１乃至１４の何れか１項に記載の印刷システムであって、
前記制御手段は、
前記印刷装置に印刷データを送信可能なホストコンピュータにおけるユーザ操作によるプリンタドライバの起動指示により該ホストコンピュータの表示部に表示可能な印刷設定画面を介してシート処理の実行要求がなされたジョブにて要する印刷処理を、該ジョブに先行して前記印刷装置にて印刷処理がなされたジョブのシート処理に並行して、前記印刷装置により実行可能にすることを特徴とする印刷システム。
【請求項１６】
請求項１乃至１５の何れか１項に記載の印刷システムであって、
前記制御手段は、
前記印刷装置で印刷処理がなされたジョブのシートに対するシート処理として、ステイプル処理、パンチ処理、くるみ製本処理、天糊製本処理、中綴じ製本処理、シートの大量積載処理、断裁処理、の少なくとも何れかを含む複数種類のシート処理を前記シート処理装置により実行可能にすることを特徴とする印刷システム。
【請求項１７】
請求項１乃至１６の何れか１項に記載の印刷システムであって、
前記制御手段は、
ユーザインタフェース手段を介してユーザから受付けた前記複数のシート処理装置が如何なる順番で前記印刷装置に接続されているかを特定するのに要するシステム構成情報に基いて、処理対象となるジョブの印刷動作のタイミングを制御することを特徴とする印刷システム。
【請求項１８】
請求項１乃至１７の何れか１項に記載の印刷システムであって、
前記制御手段は、
シート処理装置が前記印刷装置に接続された場合に該シート処理装置から獲得する、前記複数のシート処理装置が如何なる順番で前記印刷装置に接続されているかを特定するのに要するシステム構成情報に基いて、処理対象となるジョブの印刷動作のタイミングを制御する、ことを特徴とする印刷システム。
【請求項１９】
請求項１乃至１８の何れか１項に記載の印刷システムであって、
前記制御手段は、
オペレータによるシートの取出作業にて開閉手段のオープン動作を要するシート処理装置によるシート処理を要する第１ジョブの後に受付けた第２ジョブが、前記第１ジョブのシート処理で用いている前記シート処理装置によるシート処理を要するジョブに該当する場合に、前記第１ジョブのシート処理で用いている前記シート処理装置の前記開閉手段がオープンされた状態のままで当該第２ジョブの印刷処理を前記印刷装置により実行することを禁止し、
前記制御手段は、
前記第１ジョブの後に受付けた前記第２ジョブが、前記第１ジョブのシート処理で用いている前記シート処理装置によるシート処理を要するジョブに該当しない場合に、
前記第１ジョブのシート処理で用いている前記シート処理装置の前記開閉手段がオープンされた状態のままで当該第２ジョブの印刷処理を前記印刷装置により実行することを許可する、
ことを特徴とする印刷システム。
【請求項２０】
ジョブに基づいてシートへの印刷処理を実行するよう印刷装置を制御し、前記印刷装置により印刷処理が実行されたシートに対してシート処理を実行するよう複数のシート処理装置のうちの何れかのシート処理装置を制御する印刷システムの制御方法であって、
前記複数のシート処理装置のうちの何れかのシート処理装置にてオペレータによるシートの取出作業がなされる場合に、当該オペレータにより取出対象となるシートのジョブの後に受付けたジョブであり且つ当該オペレータによるシートの取出作業がなされるシート処理装置によるシート処理を要するジョブに基づいた印刷処理の実行を禁止し、当該オペレータにより取出対象となるシートのジョブの後に受付けたジョブで且つ当該オペレータによるシートの取出作業がなされるシート処理装置によるシート処理は不要なジョブに基づいた印刷処理の実行を許可するよう前記印刷装置を制御する制御工程
を備えることを特徴とする印刷システムの制御方法。
【請求項２１】
ジョブに基づいてシートへの印刷処理を実行するよう印刷装置を制御し、前記印刷装置により印刷処理が実行されたシートに対してシート処理を実行するよう複数のシート処理装置のうちの何れかのシート処理装置を制御する印刷システムに、
前記複数のシート処理装置のうちの何れかのシート処理装置にてオペレータによるシートの取出作業がなされる場合に、当該オペレータにより取出対象となるシートのジョブの後に受付けたジョブであり且つ当該オペレータによるシートの取出作業がなされるシート処理装置によるシート処理を要するジョブに基づいた印刷処理の実行を禁止し、当該オペレータにより取出対象となるシートのジョブの後に受付けたジョブで且つ当該オペレータによるシートの取出作業がなされるシート処理装置によるシート処理は不要なジョブに基づいた印刷処理の実行を許可するよう前記印刷装置を制御する制御工程
を実行させるためのプログラム。
【手続補正２】
【補正対象書類名】明細書
【補正対象項目名】発明の名称
【補正方法】変更
【補正の内容】
【発明の名称】印刷システム、印刷システムの制御方法、及びプログラム
【手続補正３】
【補正対象書類名】明細書
【補正対象項目名】０００１
【補正方法】変更
【補正の内容】
【０００１】
本発明は、印刷システム、印刷システムの制御方法、及びプログラムに関するものである。
【手続補正４】
【補正対象書類名】明細書
【補正対象項目名】００１４
【補正方法】変更
【補正の内容】
【００１４】
そこで、本発明は、上記課題に鑑みてなされたものであり、オフィス環境に留まらずＰＯＤ環境にも適応可能な便利な印刷システム、印刷システムの制御方法、及びプログラムを提供可能にする。
【手続補正５】
【補正対象書類名】明細書
【補正対象項目名】００１８
【補正方法】変更
【補正の内容】
【００１８】
即ち、ジョブに基づいてシートへの印刷処理を実行するよう印刷装置を制御し、前記印刷装置により印刷処理が実行されたシートに対してシート処理を実行するよう複数のシート処理装置のうちの何れかのシート処理装置を制御する印刷システムであって、
前記複数のシート処理装置のうちの何れかのシート処理装置にてオペレータによるシートの取出作業がなされる場合に、当該オペレータによる取出対象のシートのジョブの後に受付けたジョブであり且つ当該オペレータによるシートの取出作業がなされるシート処理装置によるシート処理を要するジョブに基づいた印刷処理の実行を禁止し、当該オペレータによる取出対象のシートのジョブの後に受付けたジョブで且つ当該オペレータによるシートの取出作業がなされるシート処理装置によるシート処理は不要なジョブに基づいた印刷処理の実行を許可するよう前記印刷装置を制御する制御手段
を備えることを特徴とする。
【手続補正６】
【補正対象書類名】明細書
【補正対象項目名】００１９
【補正方法】変更
【補正の内容】
【００１９】
本発明の目的を達成するために、例えば、本発明の印刷システムの制御方法は以下の構成を備える。
【手続補正７】
【補正対象書類名】明細書
【補正対象項目名】００２０
【補正方法】変更
【補正の内容】
【００２０】
即ち、ジョブに基づいてシートへの印刷処理を実行するよう印刷装置を制御し、前記印刷装置により印刷処理が実行されたシートに対してシート処理を実行するよう複数のシート処理装置のうちの何れかのシート処理装置を制御する印刷システムの制御方法であって、
前記複数のシート処理装置のうちの何れかのシート処理装置にてオペレータによるシートの取出作業がなされる場合に、当該オペレータにより取出対象となるシートのジョブの後に受付けたジョブであり且つ当該オペレータによるシートの取出作業がなされるシート処理装置によるシート処理を要するジョブに基づいた印刷処理の実行を禁止し、当該オペレータにより取出対象となるシートのジョブの後に受付けたジョブで且つ当該オペレータによるシートの取出作業がなされるシート処理装置によるシート処理は不要なジョブに基づいた印刷処理の実行を許可するよう前記印刷装置を制御する制御工程
を備えることを特徴とする。